(57)【要約】【課題】本発明は、誤差が生じた有機発光表示装置の複数のピクセルに、正確に有機発光物質を塗布できるようにする。【解決手段】流体が流れるチャンネル１３１ａを含む本体部１３１と、本体部１３１と連結され、チャンネル１３１ａと連通して流体をディスペンシングする複数のノズル部１３２を含むディスペンシング部１３０と、複数のノズル部１３２のうちの隣接するノズル部１３２の間隔をセンシングする間隔センサ部１４０と、間隔センサ部１４０がセンシングした隣接するノズル部１３２の間隔に基づいて、隣接するノズル部１３２の間隔が設定された間隔に到達するように本体部１３１を熱膨張させる熱膨張調節部１５０を含む。【選択図】図２
2011101874.tif 000002
【特許請求の範囲】
【請求項１】
流体が流れるチャンネルを含む本体部、及び前記本体部と連結され、前記チャンネルと連通して前記流体をディスペンシングする複数のノズル部を含むディスペンシング部と、
前記複数のノズル部のうちの隣接するノズル部の間隔をセンシングする間隔センサ部と、
前記間隔センサ部がセンシングした前記隣接するノズル部の間隔に基づいて、前記隣接するノズル部の間隔が設定された間隔に到達するように前記本体部を熱膨張させる熱膨張調節部と、
を含むことを特徴とするディスペンシング装置。
【請求項２】
前記熱膨張調節部は、
前記本体部の温度を上昇させるヒーター部と、
前記本体部の温度をセンシングする温度センサ部と、
前記温度センサ部がセンシングした前記本体部の温度が設定された温度に到達するように前記ヒーター部を制御する温度制御部と、
を含むことを特徴とする請求項１に記載のディスペンシング装置。
【請求項３】
前記熱膨張調節部は、
前記本体部の温度を下降させる冷却部をさらに含み、
前記温度制御部は、前記温度センサ部がセンシングした前記本体部の温度が設定された温度に到達するように前記冷却部をさらに制御することを特徴とする請求項１または２に記載のディスペンシング装置。
【請求項４】
前記間隔センサ部はカメラであることを特徴とする請求項１から３のいずれかに記載のディスペンシング装置。
【請求項５】
前記流体がディスペンシングされる基板が安着される安着部と、
前記安着部及び前記本体部のうちの一つ以上を移動させて、前記基板上に前記本体部を整列させる整列部と、
をさらに含むことを特徴とする請求項１から４のいずれかに記載のディスペンシング装置。
【請求項６】
前記ディスペンシング部は、インバーまたはステンレス鋼で構成されることを特徴とする請求項１から５のいずれかに記載のディスペンシング装置。
【請求項７】
流体がディスペンシングされる複数のピクセル構造物が形成された基板を用意する段階と、
前記基板上に前記流体が流れるチャンネルを含む本体部、及び前記本体部と連結され、前記チャンネルと連通して前記流体をディスペンシングする複数のノズル部を含むディスペンシング部を整列させる段階と、
前記複数のノズル部のうちの隣接するノズル部の間隔をセンシングする段階と、
前記隣接するノズル部の間隔が前記複数のピクセル構造物のうちの隣接するピクセル構造物の間隔に対応するように前記本体部を熱膨張させて、前記複数のノズル部それぞれを前記複数のピクセル構造物それぞれに対応させる段階と、
前記複数のノズル部から前記複数のピクセル構造物に前記流体をディスペンシングする段階と、
を含むことを特徴とするディスペンシング方法。
【請求項８】
前記本体部を熱膨張させて、前記複数のノズル部それぞれを前記複数のピクセル構造物それぞれに対応させる段階は、
前記本体部の温度をセンシングする段階と、
前記センシングした前記本体部の温度が設定された温度に到達するように前記本体部の温度を上昇または下降させる段階と、
を含むことを特徴とする請求項７に記載のディスペンシング方法。
【請求項９】
前記基板上に前記ディスペンシング部を整列させる段階は、
安着部上に前記基板を安着させる段階と、
前記安着部及び前記ディスペンシング部のうちの一つ以上を移動させて、前記基板上に前記本体部を整列させる段階と、
を含むことを特徴とする請求項７または８に記載のディスペンシング方法。
【発明の詳細な説明】
【技術分野】
【０００１】
本発明は、ディスペンシング装置に関するものであって、より詳しくは、基板に流体をディスペンシングするディスペンシング装置及びディスペンシング方法に関するものである。
【背景技術】
【０００２】
一般に、ディスペンシング（ｄｉｓｐｅｎｓｉｎｇ）装置は、流体を塗布する装置であって、多様な流体を被塗布体に塗布する時に使用される装置である。
【０００３】
このようなディスペンシング装置は、有機発光表示装置（ｏｒｇａｎｉｃ ｌｉｇｈｔｅｍｉｔｔｉｎｇ ｄｉｏｄｅ ｄｉｓｐｌａｙ）を製造する時に、有機発光表示装置のピクセル（ｐｉｘｅｌ）を構成する有機発光物質を基板に塗布するのに使用される。
【０００４】
一方、有機発光表示装置は複数のピクセルを含むが、この複数のピクセルに有機発光物質を塗布するためには、複数のピクセルに対応する複数のノズルを有するディスペンシング装置を利用して、複数のピクセルそれぞれに流体状の有機発光物質を一度に塗布している。
【０００５】
最近では、メムス（ｍｉｃｒｏｅｌｅｃｔｒｏｍｅｃｈａｎｉｃａｌ ｓｙｓｔｅｍｓ、ＭＥＭＳ）技術の発展により、有機発光表示装置に含まれている複数のピクセルおのおのの間隔が次第に狭くなっている。有機発光表示装置の製造過程において、有機発光表示装置の複数のピクセルのうち、隣接するピクセル同士の間隔が最初の設計値から誤差が生じた場合に、最初の設計値で形成された複数のピクセルに対応する複数のノズルを有する既存のディスペンシング装置では、誤差が生じている有機発光表示装置の複数のピクセルに正確に有機発光物質を塗布するのが難しいという問題があった。
【発明の概要】
【発明が解決しようとする課題】
【０００６】
本発明は、前述した背景技術の問題を解決するためのものであって、本発明の目的は、誤差が生じた有機発光表示装置の複数のピクセルであっても、正確に有機発光物質を塗布することができるディスペンシング装置及びディスペンシング方法を提供することである。
【課題を解決するための手段】
【０００７】
本発明の第１側面は、流体が流れるチャンネルを含む本体部、前記本体部と連結され、前記チャンネルと連通して前記流体をディスペンシングする複数のノズル部を含むディスペンシング部、前記複数のノズル部のうち隣接するノズル部の間隔をセンシングする間隔センサ部、及び前記間隔センサ部がセンシングした前記隣接するノズル部の間隔に基づいて、前記隣接するノズル部の間隔が設定された間隔に到達するように前記本体部を熱膨張させる熱膨張調節部を含むディスペンシング装置を提供する。
【０００８】
前記熱膨張調節部は、前記本体部の温度を上昇させるヒーター部、前記本体部の温度をセンシングする温度センサ部、及び前記温度センサ部がセンシングした前記本体部の温度が設定された温度に到達するように前記ヒーター部を制御する温度制御部を含むことができる。
【０００９】
前記熱膨張調節部は、前記本体部の温度を下降させる冷却部をさらに含み、前記温度制御部は、前記温度センサ部がセンシングした前記本体部の温度が設定された温度に到達するように前記冷却部をさらに制御することができる。
【００１０】
前記間隔センサ部はカメラであってもよい。
【００１１】
前記流体がディスペンシングされる基板が安着される安着部、及び前記安着部及び前記本体部のうちの一つ以上を移動させて、前記基板上に前記本体部を整列させる整列部をさらに含むことができる。
【００１２】
前記ディスペンシング部は、インバー（ｉｎｖａｒ）またはステンレス鋼（ｓｔａｉｎｌｅｓｓｓｔｅｅｌ）で形成される。
【００１３】
また、本発明の第２側面は、流体がディスペンシングされる複数のピクセル構造物が形成された基板を用意する段階、前記基板上に前記流体が流れるチャンネルを含む本体部、及び前記本体部と連結されて、前記チャンネルと連通して前記流体をディスペンシングする複数のノズル部を含むディスペンシング部を整列させる段階、前記複数のノズル部のうちの隣接するノズル部の間隔をセンシングする段階、前記隣接するノズル部の間隔が前記複数のピクセル構造物のうちの隣接するピクセル構造物の間隔に対応するように前記本体部を熱膨張させて、前記複数のノズルそれぞれを前記複数のピクセル構造物のそれぞれに対応させる段階、及び前記複数のノズル部から前記複数のピクセル構造物に前記流体をディスペンシングする段階を含むディスペンシング方法を提供する。
【００１４】
前記本体部を熱膨張させて、前記複数のノズル部それぞれを前記複数のピクセル構造物のそれぞれに対応させる段階は、前記本体部の温度をセンシングする段階、及び前記センシングした前記本体部の温度が設定された温度に到達するように前記本体部の温度を上昇または下降させる段階を含むことができる。
【００１５】
前記基板上に前記ディスペンシング部を整列させる段階は、安着部上に前記基板を安着させる段階、及び前記安着部及び前記ディスペンシング部のうちの一つ以上を移動させて、前記基板上に前記本体部を整列させる段階を含むことができる。
【発明の効果】
【００１６】
本発明により、誤差が生じた有機発光表示装置の複数のピクセルに、正確に有機発光物質を塗布することができるディスペンシング装置及びディスペンシング方法が提供される。
【図面の簡単な説明】
【００１７】
【図１】本発明の第１実施形態によるディスペンシング装置を示した図である。
【図２】本発明の第１実施形態によるディスペンシング装置におけるディスペンシング部及び熱膨張調節部を詳しく示した図である。
【図３】本発明の第２実施形態によるディスペンシング方法を示したフローチャートである。
【図４】本発明の第２実施形態によるディスペンシング方法を示した図である。
【図５】本発明の第２実施形態によるディスペンシング方法を示した図である。
【図６】本発明の第２実施形態によるディスペンシング方法を示した図である。
【発明を実施するための形態】
【００１８】
以下、添付した図面を参照して、本発明の多様な実施形態について、本発明が属する技術分野における通常の知識を有する者が容易に実施することができるように詳しく説明する。しかし、本発明は多様な形態に具現され、ここで説明する実施形態には限られない。
【００１９】
本発明を明確に説明するために、説明に不要な部分は省略し、明細書全体にわたって同一または類似した構成要素については、同一な参照符号を付けた。
【００２０】
また、図面に示した各構成の大きさ及び厚さは、説明の便宜のために任意に示したものであるため、本発明が必ずしも示されたものには限られない。
【００２１】
一部分がある部分の「上」または「下」にあるという時、これはそれぞれ一部分がある部分の「下部」または「上部」にある場合も含み、一部分とある部分との間にさらに他の部分がある場合も含む。
【００２２】
以下、図１及び図２を参照して、本発明の第１実施形態によるディスペンシング装置１００について説明する。
【００２３】
本発明の第１実施形態によるディスペンシング装置１００は、有機発光表示装置に含まれている有機発光物質を流体状でディスペンシングする装置であるが、これに限定されず、本発明によるディスペンシング装置は、蛍光体などの他の物質を流体状でディスペンシングすることができる。
【００２４】
図１は本発明の第１実施形態によるディスペンシング装置を示した図である。
【００２５】
図１に示したように、本発明の第１実施形態によるディスペンシング装置１００は、有機発光物質を流体状でディスペンシングする装置であり、安着部１１０、整列部１２０、ディスペンシング部１３０、間隔センサ部１４０、熱膨張調節部１５０を含む。
【００２６】
安着部１１０は、流体状の有機発光物質がディスペンシングされる基板１０が安着する部分である。安着部１１０は、整列部１２０によってその位置が移動する。
【００２７】
整列部１２０は、安着部１１０を移動させて、安着部１１０上に安着している基板１０に対してディスペンシング部１３０を整列させる部分である。整列部１２０は、基板１０に対してディスペンシング部１３０が整列されるように設定された位置に安着部１１０を移動させる。整列部１２０は、ディスペンシング部１３０が基板１０のある一部分から他の部分まで第１方向に移動して、基板１０に対応するように安着部１１０を移動させる。
【００２８】
第２実施形態において、整列部１２０は、ディスペンシング部１３０を移動させて、安着部１１０上に安着している基板１０に対してディスペンシング部１３０を整列させたり、または安着部１１０及びディスペンシング部１３０を移動させたりして、安着部１１０上に安着している基板１０に対してディスペンシング部１３０を整列させることができる。
【００２９】
図２は本発明の第１実施形態によるディスペンシング装置におけるディスペンシング部及び熱膨張調節部を詳しく示した図である。
【００３０】
図２に示したように、ディスペンシング部１３０は、流体状の有機発光物質を直接ディスペンシングする部分であり、本体部１３１及び複数のノズル部１３２を含む。
【００３１】
本体部１３１は、基板１０に対応して一方向に延長されており、流体状の有機発光物質が流れるチャンネル１３１ａを含む。本体部１３１は、チューブなどの連結部材（図示せず）と連結されており、本体部１３１のチャンネル１３１ａは、連結部材と連通して、連結部材から流体状の有機発光物質が供給される。
【００３２】
ノズル部１３２は、複数が本体部１３１と連結されており、本体部１３１のチャンネル１３１ａと連通して、チャンネル１３１ａ内に流れる流体状の有機発光物質を外部にディスペンシングする。ノズル部１３２は、開閉部を含むことができ、この開閉部は、ノズル部１３２を開放したり閉鎖したりすることによって、本体部１３１のチャンネル１３１ａからノズル部１３２によって流体状の有機発光物質が基板１０にディスペンシングされるのを制御する。
【００３３】
ディスペンシング部１３０は、鉄とニッケルの合金であるインバー（ｉｎｖａｒ）、不変鋼とも言う、またはステンレス鋼（ｓｔａｉｎｌｅｓｓｓｔｅｅｌ）で形成されており、ディスペンシング部１３０の温度が上昇することによって全体が均一に熱膨張する。例えば、ディスペンシング部１３０の本体部１３１の温度が１℃上昇すると、ディスペンシング部１３０の複数のノズル部１３２のうちの隣接するノズル部１３２の間隔（Ｗ１）は１ｕｍ広くなる。
【００３４】
間隔センサ部１４０は、ディスペンシング部１３０の複数のノズル部１３２のうちの隣接するノズル部１３２の間隔（Ｗ１）であるノズル部１３２間のピッチ（ｐｉｔｃｈ）をセンシングする。すなわち、ノズル部１３２の間隔を検出する。間隔センサ部１４０は、ノズル部１３２間のピッチをセンシングして、その値を熱膨張調節部１５０に伝送する。間隔センサ部１４０は、基板１０に形成されて、流体状の有機発光物質がディスペンシングされる複数のピクセル構造物のうちの隣接するピクセル構造物の間隔であるピクセル構造物間のピッチをセンシングする。前記複数のピクセル構造物は、基板１０に形成され、有機発光表示装置に含まれている複数のピクセル（ｐｉｘｅｌ）を構成する部分である。間隔センサ部１４０は、基板１０のピクセル構造物間のピッチをセンシングして、その値を熱膨張調節部１５０に伝送する。間隔センサ部１４０は、カメラの形態を有し、ディスペンシング部１３０のノズル部１３２間のピッチ及び基板１０のピクセル構造物間のピッチをイメージとして撮像した後、撮像されたイメージからノズル部１３２間のピッチの値及び基板１０のピクセル構造物間のピッチの値を算出して、その値を熱膨張調節部１５０に伝送する。
【００３５】
熱膨張調節部１５０は、間隔センサ部１４０がセンシングしたディスペンシング部１３０のノズル部１３２間のピッチ及び基板１０のピクセル構造物間のピッチに基づいて、ディスペンシング部１３０の複数のノズル部１３２が基板１０の複数のピクセル構造物に対応するようにディスペンシング部１３０の本体部１３１を熱膨張させる役割を果たす。熱膨張調節部１５０は、ヒーター部１５１、冷却部１５２、温度センサ部１５３、温度制御部１５４を含む。
【００３６】
ヒーター部１５１は、本体部１３１の内部に位置させたり本体部１３１の外部に位置させたりし、本体部１３１と接触して、本体部１３１の温度を上昇させる役割を果たす。ヒーター部１５１は、本体部１３１の全体に対応して位置し、本体部１３１の全体の温度を同時に上昇させる役割を果たす。
【００３７】
冷却部１５２は、本体部１３１の内部に位置させたり本体部１３１の外部に位置させたりして本体部１３１と接触し、本体部１３１の温度を下降させる役割を果たす。冷却部１５２は、本体部１３１の全体に対応して位置し、本体部１３１の全体の温度を同時に下降させる役割を果たす。
【００３８】
温度センサ部１５３は、本体部１３１の温度をセンシングする。温度センサ部１５３は、ヒーター部１５１または冷却部１５２によって上昇または下降した本体部１３１の温度をセンシングして、温度制御部１５４にその値を伝送する。
【００３９】
温度制御部１５４は、温度センサ部１５３がセンシングした本体部１３１の温度が設定された温度に到達するようにヒーター部１５１または冷却部１５２を制御する。ここで設定された温度とは、ディスペンシング部１３０の本体部１３１に連結されている複数のノズル部１３２が基板１０の複数のピクセル構造物に対応するようにディスペンシング部１３０の本体部１３１が熱膨張される温度をいう。
【００４０】
温度制御部１５４は、間隔センサ部１４０がセンシングしたノズル部１３２間のピッチ及び基板１０のピクセル構造物間のピッチに基づいて、複数のノズル部１３２が基板１０の複数のピクセル構造物に正確に対応するようにヒーター部１５１または冷却部１５２を制御する。
【００４１】
温度制御部１５４がヒーター部１５１または冷却部１５２を制御して、本体部１３１の温度が設定された温度に到達すると、本体部１３１が熱膨張して、本体部１３１と連結された複数のノズル部１３２が基板１０の複数のピクセル構造物に対応するようになり、この時、本体部１３１のチャンネル１３１ａに流れる流体状の有機発光物質をノズル部１３２から基板１０の複数のピクセル構造物にディスペンシングする。
【００４２】
以下、図３乃至図６を参照して、本発明の第２実施形態によるディスペンシング方法を説明する。
【００４３】
図３は本発明の第２実施形態によるディスペンシング方法を示したフローチャートである。図４乃至図６は本発明の第２実施形態によるディスペンシング方法を示した図である。
【００４４】
まず、図３及び図４に示したように、基板１０を用意する（Ｓ１１０）。
【００４５】
具体的には、流体状の有機発光物質がディスペンシングされる複数のピクセル構造物１１が形成された基板１０を用意する。この複数のピクセル構造物１１は、有機発光表示装置の複数のピクセルを構成する。
【００４６】
次に、図５に示したように、基板１０上にディスペンシング部１３０を整列させる（Ｓ１２０）。
【００４７】
具体的には、安着部１１０上に基板１０を安着させた後、整列部１２０を利用して安着部１１０及びディスペンシング部１３０のうちの一つ以上を移動させて、基板１０上にディスペンシング部１３０を整列させる。
【００４８】
次に、隣接するノズル部１３２の間隔をセンシングする（Ｓ１３０）。
【００４９】
具体的には、間隔センサ部１４０を利用して複数のノズル部１３２のうちの隣接するノズル部１３２の間隔（Ｗ１）であるノズル部１３２間のピッチをセンシングする。この時、間隔センサ部１４０を利用して基板１０の複数のピクセル構造物１１のうちの隣接するピクセル構造物１１の間隔（Ｗ２）であるピクセル構造物１１間のピッチをセンシングする。このようにセンシングされたノズル部１３２間のピッチ及びピクセル構造物１１間のピッチは、熱膨張調節部１５０に伝送される。
【００５０】
次に、本体部１３１を熱膨張させて、複数のノズル部１３２を複数のピクセル構造物１１に対応させる（Ｓ１４０）。
【００５１】
具体的には、間隔センサ部１４０によってセンシングされたノズル部１３２間のピッチ及びピクセル構造物１１間のピッチに基づいて、基板１０の複数のピクセル構造物１１に対して複数のノズル部１３２が正確に対応するようにディスペンシング部１３０の本体部１３１を設定された温度に到達させて、本体部１３１を熱膨張させる。本体部１３１の熱膨張は、本体部１３１の温度をセンシングした後で、本体部１３１の温度が設定された温度に到達するように本体部１３１の温度を上昇させたり下降させたりして行われる。また、本体部１３１が熱膨張されることによって、本体部１３１と連結された複数のノズル部１３２のうちの隣接するノズル部１３２の間隔（Ｗ１）が複数のピクセル構造物１１のうちの隣接するピクセル構造物１１の間隔（Ｗ２）に対応して、複数のノズル部１３２それぞれが複数のピクセル構造物１１それぞれに正確に対応する。
【００５２】
次に、図６に示したように、ピクセル構造物１１に流体をディスペンシングする（Ｓ１５０）。
【００５３】
具体的には、本体部１３１のチャンネル１３１ａに流れている流体状の有機発光物質を複数のノズル部１３２から基板１０の複数のピクセル構造物１１にディスペンシングする。
【００５４】
以上のように、本発明の第１実施形態によるディスペンシング装置１００及び第２実施形態によるディスペンシング方法は、ディスペンシング部１３０の本体部１３１を熱膨張させて、本体部１３１と連結された複数のノズル部１３２を流体状の有機発光物質がディスペンシングされる基板１０の複数のピクセル構造物１１に正確に対応させることができるため、基板１０の隣接するピクセル構造物１１間の間隔に誤差が生じた場合であっても、有機発光表示装置の複数のピクセルで構成される基板１０のピクセル構造物１１に正確に流体状の有機発光物質を塗布することができる。つまり、本発明の第１実施形態によるディスペンシング装置１００及び第２実施形態によるディスペンシング方法は、ノズル部１３２間のピッチを調節することができるため、基板１０の製造状態に弾力的に対応することができる。
【００５５】
また、本発明の第１実施形態によるディスペンシング装置１００及び第２実施形態によるディスペンシング方法は、一つのディスペンシング装置１００でもノズル部１３２間のピッチのサイズを調節することができるため、多様なピクセル構造物１１間のピッチのサイズを有する多様な基板１０に使用することができる。つまり、本発明の第１実施形態によるディスペンシング装置１００及び第２実施形態によるディスペンシング方法は、汎用性を有して、多様な基板に多様な流体をディスペンシングすることができる。
【００５６】
以上で、本発明を望ましい実施形態を参照して説明したが、本発明はこれに限定されず、特許請求の範囲の概念及び範囲を逸脱しない限り、多様な修正及び変形が可能であることを、本発明が属する技術分野に従事する者であれば容易に理解することができる。
【符号の説明】
【００５７】
１０        基板、
１１        ピクセル構造物、
１００      ディスペンシング装置、
１１０      安着部、
１２０      整列部、
１３０      ディスペンシング部、
１３１      本体部、
１３１ａ    チャンネル、
１３２      ノズル部、
１４０      間隔センサ部、
１５０      熱膨張調節部、
１５１      ヒーター部、
１５２      冷却部、
１５３      温度センサ部、
１５４      温度制御部。
【図１】
2011101874.tif 000003
【図２】
2011101874.tif 000004
【図３】
2011101874.tif 000005
【図４】
2011101874.tif 000006
【図５】
2011101874.tif 000007
【図６】
2011101874.tif 000008